(57)【要約】【課題】横方向に並べた２つのトレーを連結してトレー上の商品を安定して陳列することができ、しかも、トレーの上縁が露出することによる美観の低下を防止することができるトレー用連結具を提供する。【解決手段】互いに横側壁を当接させて横方向に並べた２つのトレーの前側壁を共に覆う覆板部２と、覆板部２の裏面に設けられ、両トレーの前側壁の上縁を跨いで両前側壁に掛止する掛止片５とを備え、掛止片５は、両前側壁に掛止したときに両トレーの互いに当接する横側壁同士を当接状態で挟持する挟持部６を備える。【選択図】図１
2015147616.tif 000002
【特許請求の範囲】
【請求項１】
互いに横側壁を当接させて横方向に並べた２つのトレーに装着することにより両トレーを連結するトレー用連結具であって、
両トレーの前側壁を共に覆う覆板部と、該覆板部の裏面に設けられ、両トレーの前側壁の上縁を跨いで両前側壁に掛止する掛止片とを備え、
前記掛止片は、両前側壁に掛止したときに両トレーの互いに当接する横側壁同士を当接状態で挟持する挟持部を備えることを特徴とするトレー用連結具。
【請求項２】
前記覆板部は、前面となる前面パネルと該前面パネルに空隙を存して対向する裏面パネルとを備え、
少なくとも前記前面パネルは、前方に突出するように湾曲しており、
前記掛止片は、前記裏面パネルに設けられていることを特徴とする請求項１記載のトレー用連結具。
【請求項３】
前記掛止片は互いに隣接する一対の舌片により構成され、両舌片間に間隔を設けてこの間隔部分を前記挟持部としたことを特徴とする請求項１又は２記載のトレー用連結具。
【請求項４】
前記掛止片は、前記覆板部の上縁よりも下方位置に設けられていることを特徴とする請求項１〜３の何れか１項記載のトレー用連結具。
【請求項５】
前記覆板部の少なくとも前面に表示部を設けたことを特徴とする請求項１〜４の何れか１項記載のトレー用連結具。
【請求項６】
前記覆板部の横方向の端縁には、該覆板部の裏面側に折り返し可能な折返可能片が連結されていることを特徴とする請求項１〜５の何れか１項記載のトレー用連結具。
【発明の詳細な説明】
【技術分野】
【０００１】
本発明は、複数のトレーを連結するトレー用連結具に関する。
【背景技術】
【０００２】
従来、段ボール製包装箱においては、包装されている商品を店頭で陳列する際に、包装箱の胴部を上下に切り離し、上半部を取り除いて商品を露出させ、下半部は商品を載せるトレーとして利用するものが知られている（例えば、特許文献１参照）。
【０００３】
この種の包装箱における胴部の切り離し作業は、予め包装箱の全周に貼り付けられた破断用テープを引っ張ることで引き裂く、或いは、予め包装箱の全周に形成された帯状の切り取りジッパーに沿って破断する等によって行われる。
【０００４】
そして、商品は、包装箱の下半部によるトレーに載せた状態で、店頭において横方向に並べられ、更に消費者が商品を取りやすい高さまで複数段積み上げられた状態で陳列される。
【先行技術文献】
【特許文献】
【０００５】
【特許文献１】特開平１１−１７１１７２号公報
【発明の概要】
【発明が解決しようとする課題】
【０００６】
しかし、例えば、商品として陳列されるものが比較的重量のある飲料入りボトルである場合には、図３に示すように、下段のトレー１４´，１５´に収容されて露出する複数配列されたボトルｗの上に、更に上段のトレー１４，１５が載置され、上段のトレー１４，１５は下段のトレー１４´，１５´上のボトルｗによって支えられた状態となる。このため、上段のトレー１４，１５はその載置状態が不安定であり、上段のトレー１４，１５の載置位置にずれが生じていたり、上段のトレー１４，１５上のボトルｗが減って荷重が偏ると、横方向に並べた２つのトレー１４，１５間の間隙ｓが大きく開いて一層不安定となる。
【０００７】
また、上記のようにして包装箱を破断して形成されるトレーはその上縁に切断端縁が露出する。この切断端縁は、破断用テープによる引き裂き痕や切り取りジッパーの切断痕であるため外観が良いものではなく、段ボールのライナ剥離を伴っている場合には更に外観が悪化することにより、トレー上に載せて陳列している商品の美観を損なう不都合がある。
【０００８】
上記の点に鑑み、本発明は、横方向に並べた２つのトレーを連結してトレー上の商品を安定して陳列することができ、しかも、トレーの上縁が露出することによる美観の低下を防止することができるトレー用連結具を提供することを目的とする。
【課題を解決するための手段】
【０００９】
本発明は、互いに横側壁を当接させて横方向に並べた２つのトレーに装着することにより両トレーを連結するトレー用連結具であって、両トレーの前側壁を共に覆う覆板部と、該覆板部の裏面に設けられ、両トレーの前側壁の上縁を跨いで両前側壁に掛止する掛止片とを備え、前記掛止片は、両前側壁に掛止したときに両トレーの互いに当接する横側壁同士を当接状態で挟持する挟持部を備えることを特徴とする。
【００１０】
本発明のトレー用連結具によれば、覆板部の裏面に設けた掛止片を両トレーの前側壁に掛止する。このとき、覆板部が両トレーの前側壁を共に覆うことにより互いに隣り合う前側壁間の間隙が覆板部により覆い隠されて前方から見えなくなり、横方向に２つ並べたトレーに一体感が得られてトレーの外観が良好となる。
【００１１】
また、前記掛止片を両前側壁に掛止したとき、前記挟持部が両トレーの互いに当接する横側壁同士を当接状態で挟持する。これにより、２つのトレーが一体に連結された状態となり、両トレーの離間方向への不用意な動きが防止されて、安定性を向上させることができる。
【００１２】
更に、前記掛止片は、両トレーの前側壁の上縁を跨いで両前側壁に掛止するので、両トレーの前側壁の上縁の露出を少なくすることができるので、トレーの上縁が露出することによる美観の低下を防止することができる。
【００１３】
また、本発明のトレー用連結具において、前記覆板部は、前面となる前面パネルと該前面パネルに空隙を存して対向する裏面パネルとを備え、少なくとも前記前面パネルは、前方に突出するように湾曲しており、前記掛止片は、前記裏面パネルに設けられていることを特徴とする。これによれば、覆板部の形状が立体的になり、高い美観が得られると共にトレーに取り付けた際の視認性を向上させることができる。
【００１４】
また、本発明のトレー用連結具において、前記掛止片は互いに隣接する一対の舌片により構成され、両舌片間に間隔を設けてこの間隔部分を前記挟持部としたことを特徴とする。これによれば、覆板部の裏面に２つの舌片を所定の間隔を存して設けるだけで前記挟持部を形成することができるので、構造簡単として製造容易なトレー用連結具を提供することができる。
【００１５】
また、本発明のトレー用連結具において、前記掛止片は、前記覆板部の上縁よりも下方位置に設けられていることを特徴とする。これによれば、両トレーの前側壁に前記掛止片を掛止させたとき、前側壁の上縁よりも高い位置まで覆板部の上端部が張り出し、覆板部の上端部の裏面側に前側壁の上縁が隠れるので、トレーの上縁が露出することによる美観の低下を一層確実に防止することができる。
【００１６】
また、本発明のトレー用連結具においては、前記覆板部の少なくとも前面に表示部を設けたことを特徴とする。これによれば、２つのトレーの前側壁を共に覆う覆板部に設けた表示部に商品案内やイラスト等を表示することができ、意匠性の向上や販売促進効果の向上を図ることができる。
【００１７】
また、本発明のトレー用連結具において、前記覆板部の横方向の端縁には、該覆板部の裏面側に折り返し可能な折返可能片が連結されていることを特徴とする。これによれば、覆板部の横方向に折返可能片が延びている状態で、前側壁の長さが長いトレーに対応させることができ、折返可能片を覆板部の裏面側に折り返して前側壁の長さが短いトレーに対応させることができる。
【図面の簡単な説明】
【００１８】
【図１】本発明の第１実施形態のトレー用連結具を示し、（ａ）は正面方向の斜視図、（ｂ）は裏面方向の斜視図。
【図２】第１実施形態のトレー用連結具の展開図。
【図３】トレーの積み上げ状態を示す説明図。
【図４】第１実施形態のトレー用連結具により連結された状態のトレーの使用状態を示す説明図。
【図５】第１実施形態のトレー用連結具により連結された状態のトレーの平面図。
【図６】第１実施形態のトレー用連結具により連結された状態のトレーの断面図。
【図７】本発明の第２実施形態のトレー用連結具を示し、（ａ）は正面方向の斜視図、（ｂ）は裏面方向の斜視図。
【図８】第２実施形態のトレー用連結具の展開図。
【図９】拡張片の折り返しを示す説明図。
【図１０】本発明の第３実施形態のトレー用連結具を示し、（ａ）は正面方向の斜視図、（ｂ）は裏面方向の斜視図。
【図１１】掛止片の変形例を示す説明的斜視図。
【発明を実施するための形態】
【００１９】
本発明の第１実施形態のトレー用連結具１は、図１（ａ）に示すように、横長の覆板部２を備え、覆板部２の少なくとも前面は、文字やイラスト等によるＰＯＰ表示３を施すための表示部４となっている。また、図１（ｂ）に示すように、覆板部２の裏面側には、一対の舌片５ａ，５ｂが設けられている。両舌片５ａ，５ｂは、一対で掛止片５を構成している。両舌片５ａ，５ｂ間には間隔が設けられており、この間隔部分によって挟持部６が形成される。
【００２０】
第１実施形態のトレー用連結具１は、図２に示すように、大略矩形状に打ち抜かれた薄板材７から組み立てられる。薄板材７は、板紙又は折り曲げ可能な合成樹脂板により形成され、前面パネル８と、前面パネル８の下縁に折目線ａを介して連接された裏面パネル９と、裏面パネル９の下縁に折目線ｂを介して連接された接着板部１０とを備えている。
【００２１】
前面パネル８の両側縁には夫々折目線ｃを介して側部連結板１１が連接されている。側部連結板１１の外側端縁には、夫々凸部１２が形成されている。裏面パネル９の外側端部には、各凸部１２が係合する係合孔１３が形成されている。
【００２２】
また、裏面パネル９には一対の舌片５ａ，５ｂがその上縁に沿った折目線ｄ，ｅを介して遊離自在に形成されている。舌片５ａ，５ｂの上縁に沿った折目線ｄ，ｅは、前面パネル８と裏面パネル９との境界の折目線ａと距離を存して平行に設けられている。
【００２３】
図２に示す状態からトレー用連結具１を組み立てるときには、先ず、折目線ｂを介して接着板部１０を折り曲げて裏面パネル９の内面に重合させる。次いで、折目線ａを介して裏面パネル９を折り曲げて前面パネル８の内面に重合させる。このとき、前面パネル８と裏面パネル９との間に介在される接着板部１０は、接着剤等を塗布して前面パネル８の内面に接着する。
【００２４】
この状態で前面パネル８と裏面パネル９とは扁平であるが、続いて、前面パネル８と裏面パネル９との間を広げて筒状とする。これによって、前面パネル８が前方に張り出すように湾曲した形状となる。次いで、側部連結板１１を折り曲げて、前面パネル８と裏面パネル９とからなる筒状の両端を閉塞する。
【００２５】
そして、側部連結板１１の各凸部１２を、夫々対応する係合孔１３に係合させる。こうして、図１（ａ）及び図１（ｂ）に示すように、前面パネル８と裏面パネル９とで覆板部２が形成され、裏面パネル９から舌片５ａ，５ｂを遊離させて掛止片５が形成される。
【００２６】
次に、上記構成のトレー用連結具１の使用方法について説明する。図３はトレー用連結具１を装着しない状態で、商品である飲料入りボトルｗを店頭で陳列した状態を示している。図３に示したトレー１４，１５，１４´，１５´は、包装箱の胴部を切断して上半部（図示しない）を除去することによって形成される。各トレー１４，１５，１４´，１５´は、ボトルｗの上半部を露出させた状態で収容している。そして、飲料入りボトルｗを陳列するとき、横並びのトレー１４´，１５´に収容されているボトルｗの上に、ボトルｗが収容されたトレー１４，１５を載置して、複数段に積み上げられる。このため、上段のトレー１４，１５は不安定な状態であり、２つのトレー１４，１５間に間隙ｓが生じ易い。また、各トレー１４，１５，１４´，１５´は、上半部を切断したときの切断端縁が上縁に形成されるので、外観上好ましくない。
【００２７】
トレー１４，１５にトレー用連結具１を装着すると、図４に示すように、２つのトレー１４，１５の前側壁１６，１７（本実施形態においては段ボール箱のフラップにより構成されている）が共に覆板部２に覆われる。このとき、図５及び図６に示すように、トレー用連結具１は、両舌片５ａ，５ｂによる掛止片５が両トレー１４，１５の前側壁１６，１７の上縁を跨いで両前側壁１６，１７に掛止され、同時に、両トレー１４，１５の横側壁１８，１９が両舌片５ａ，５ｂ間に形成された挟持部６により当接状態で挟持される。
【００２８】
これにより、両トレー１４，１５は互いに密着した状態でトレー用連結具１により連結され、安定性が向上する。また、図４及び図６に示すように、両トレー１４，１５の前側壁１６，１７の上縁がトレー用連結具１の覆板部２に隠され、例えば、両トレー１４，１５の前側壁１６，１７の上縁に、包装箱を上下に切断したことによる切断端縁が形成されていても、この切断端縁が覆板部２によって隠されるので外観低下が防止される。
【００２９】
更に、図２に示すように、舌片５ａ，５ｂの上縁に沿った折目線ｄ，ｅと、前面パネル８と裏面パネル９との境界の折目線ａとの間に間隔を設けたことにより、トレー用連結具１を形成したときに、図１（ｂ）に示すように、両舌片５ａ，５ｂによる掛止片５が、覆板部２の上縁よりも下方に位置する。これにより、両トレー１４，１５を連結した状態のトレー用連結具１は、図６に示すように、前側壁１６（１７）の上縁よりも高い位置まで覆板部２の上端部が張り出すので、前側壁１６（１７）の上縁が一層見え難くなり、上述の切断端縁が露出することによる外観低下を確実に防止することができる。
【００３０】
更に、図１（ａ）及び図４に示すように、覆板部２の外面に表示部４を設けて文字やイラスト等のＰＯＰ表示３が施せるので、意匠性や販売促進効果が向上する。しかも、前面パネル８が湾曲していることにより立体的な外観が得られ、視認性も高い。
【００３１】
なお、第１実施形態においては、図４に示すように、両トレー１４，１５の前側壁１６，１７の略上半部を覆い隠す大きさの覆板部２を備えるものを示したが、図示しないが、両トレー１４，１５の前側壁１６，１７の全部を覆い隠す大きさの覆板部２を設けてもよい。これによれば、両トレー１４，１５の一体感を向上させることができる。
【００３２】
次に、本発明の第２実施形態について説明する。第２実施形態のトレー用連結具２０は、図７（ａ）に示すように、横長の覆板部２１を備え、覆板部２１の少なくとも前面は、文字やイラスト等によるＰＯＰ表示３を施すための表示部２２となっている。また、図７（ｂ）に示すように、覆板部２１の裏面側には、一対の舌片２３ａ，２３ｂが設けられている。両舌片２３ａ，２３ｂは、一対で掛止片２３を構成している。両舌片２３ａ，２３ｂ間には間隔が設けられており、この間隔部分によって挟持部２４が形成される。
【００３３】
第２実施形態のトレー用連結具２０は、図８に示すように、板紙又は折り曲げ可能な合成樹脂板により形成された薄板材２５から組み立てられる。薄板材２５は、図８に示すように、前面パネル２６と、前面パネル２６の下縁に折目線ｆを介して連接された帯状の上面連結部２７と、上面連結部２７の下縁に折目線ｇを介して連接された裏面パネル２８と、裏面パネル２８の下縁に折目線ｈを介して連接された帯状の下面連結部２９と、下面連結部２９の下縁に折目線ｉを介して連接された接着板部３０とを備えている。なお、図８における裏面パネル２８の下縁は、図７（ｂ）に示す組立時に上縁となる。
【００３４】
前面パネル２６の両側縁には夫々湾曲する折目線ｊ，ｋを介して拡張片３１（本発明における折返可能片）が連接されている。
【００３５】
拡張片３１の下半部（組立後は上半部になる）には、その下縁から上方に延びる（組立後は上縁から下方に延びる）切れ目３２が形成されており、切れ目３２の上端（組立後は下端になる）から拡張片３１の側縁に向って延びる折目線ｍが形成さている。
【００３６】
裏面パネル２８の両側縁には夫々湾曲する折目線ｎを介して側部連結板３３が連接されている。上面連結部２７の夫々の両側縁、及び、下面連結部２９の夫々の両側縁には小片３４が連接されている。
【００３７】
また、裏面パネル２８には、一対の舌片２３ａ，２３ｂがその上縁に沿った折目線ｐ，ｑを介して遊離自在に形成されている。
【００３８】
図８に示す状態からトレー用連結具２０を組み立てるときには、先ず、裏面パネル２８と下面連結部２９との境界の折目線ｈに沿って下面連結部２９を折り曲げ、下面連結部２９と接着板部３０とを裏面パネル２８の内面に重合させる。次いで、前面パネル２６と上面連結部２７との境界の折目線ｆを介して前面パネル２６を折り曲げ、裏面パネル２８の内面に重合させる。このとき、前面パネル２６と裏面パネル２８との間に介在される接着板部３０は、接着剤等が塗布されることにより前面パネル２６の内面に接着される。
【００３９】
そして、前面パネル２６と裏面パネル２８との間に上面連結部２７が設けられており、裏面パネル２８と接着板部３０との間に下面連結部２９が設けられていることにより、上述したトレー用連結具２０の組立作業に際しては、紙箱を製造する際に用いられるサックマシーン（自動の糊貼り製函装置）を使用することができ、製造に際して極めて有利である。
【００４０】
この段階では前面パネル２６と裏面パネル２８とは扁平であるが、続いて、前面パネル２６と裏面パネル２８との間を広げるようにして角筒状とし、側部連結板３３を折目線ｎに沿って前面パネル２６に向って折り曲げる。このとき、側部連結板３３が角筒状の端部を閉塞するが、折目線ｎと側部連結板３３の端縁とが湾曲していることにより、前面パネル２６と裏面パネル２８とが湾曲形状に変形した状態となる。
【００４１】
こうして、図７（ａ）及び図７（ｂ）に示すように、前面パネル２６と裏面パネル２８とで覆板部２１が形成され、裏面パネル２８から舌片２３ａ，２３ｂを遊離させて掛止片２３が形成される。
【００４２】
覆板部２１は、拡張片３１を備えることによって、図示しないが、トレーを横方向に２つ並べたとき、両トレーの長辺側が前側壁とされている場合と、両トレーの短辺側が前側壁とされている場合との何れであっても、確実に両トレーの前側壁の上縁の切断端縁を隠すことができる。
【００４３】
しかも、トレーの短辺側が前側壁とされている場合には、覆板部２１の長さをそれに合わせて短縮させることができる。即ち、先ず、図９（ａ）に示すように、拡張片３１を折目線ｊ，ｋに沿って裏面方向に折り返す。これにより、横方向への余分な張り出しを防止することができる。
【００４４】
折り返した拡張片３１は、図９（ｂ）に示すように、拡張片３１の上半部の一部を折目線ｍに沿って折り返して上下方向幅を小さくすることで、両舌片２３ａ，２３ｂを遊離させたときに形成される裏面パネル２８の開口に挿入して係止することができる。
【００４５】
次に、本発明の第３実施形態について説明する。本発明の第３実施形態のトレー用連結具３５は、図１０（ａ）に示すように、一枚の板材からなる横長の覆板部３６を備え、覆板部３６の外面には、文字やイラスト等のＰＯＰ表示３が施される表示部３７が設けられている。
【００４６】
また、図１０（ｂ）に示すように、覆板部３６の裏面側には、一対の舌状部材３８ａ，３８ｂ（舌片）が間隔を開けて設けられている。各舌状部材３８ａ，３８ｂは、その上縁に連接された接着片３９ａ，３９ｂを備え、接着片３９ａ，３９ｂを接着剤等を介して覆板部３６の上縁よりも下方位置の覆板部３６の裏面に貼り付けられている。両舌状部材３８ａ，３８ｂは掛止片３８を構成しており、両舌状部材３８ａ，３８ｂ間に設けられた間隔部分により挟持部３９が形成される。
【００４７】
このように構成された第３実施形態のトレー用連結具３５においても、第１実施形態のトレー用連結具１と同様の効果を得ることができる。
【００４８】
また、第３実施形態においては、別体の舌状部材３８ａ，３８ｂからなる掛止片３８に替えて、図１１にその変形例を示すように、単一の接着片４０で一体に連結された２つの舌片４１ａ，４１ｂによる掛止片４１を覆板部３６の裏面側に設けてもよい。この場合には、両舌片４１ａ，４１ｂ間に形成されている凹状の切欠きが挟持部４２として機能する。こうすることにより、部品点数を少なくして掛止片４１を構成することができる。
【００４９】
また、図示しないが、第３実施形態のトレー用連結具３５においても、第２実施形態のトレー用連結具２０の前面パネル２６に設けた拡張片３１と同様の効果を得るために、覆板部３６の横方向の端縁に覆板部３６の裏面側に折り返し可能な折返可能片を連結してもよい。
【符号の説明】
【００５０】
１，２０，３５…トレー用連結具、２，２１，３６…覆板部、４，２２，３７…表示部、５，２３，３８，４１…掛止片、５ａ，５ｂ，２３ａ，２３ｂ，４１ａ，４１ｂ…舌片、６，２４，３９，４２…挟持部、８，２６…前面パネル、９，２８…裏面パネル、１４，１５…トレー、１６，１７…前側壁、１８，１９…横側壁、３１…拡張片（折返可能片）、３８ａ，３８ｂ…舌状部材（舌片）。
【図１】
2015147616.tif 000003
【図２】
2015147616.tif 000004
【図３】
2015147616.tif 000005
【図４】
2015147616.tif 000006
【図５】
2015147616.tif 000007
【図６】
2015147616.tif 000008
【図７】
2015147616.tif 000009
【図８】
2015147616.tif 000010
【図９】
2015147616.tif 000011
【図１０】
2015147616.tif 000012
【図１１】
2015147616.tif 000013